(57)【要約】      （修正有）【課題】ピックアップベースのがたつき及びバックラッシを除去する。【解決手段】対物レンズ４１が組み込まれたピックアップベース４０を有する光ピックアップ７と、ピックアップベース４０を光記録媒体の記録領域に亘って移動自在に支持するベースシャーシ４と、ピックアップベース４０の両側面を摺動自在に支持する第１，第２のガイド部材１０，１１と、ピックアップベース４０をガイド部材１０，１１に沿って移動させるピックアップ移動機構８と、一端５２ａをピックアップベース４０に係止され、他端をベースシャーシ４に係止されることによりピックアップベース４０を光記録媒体の内周又は外周方向へ付勢するとともに、一端５２ａ側が第１、第２のガイド軸１０，１１の延設方向と略直交する方向へ折り曲げられピックアップベース４０に係止されることにより該ピックアップベース４０を該折り曲げ方向に付勢する捻りコイルバネ５２とを備える。【選択図】図６
2007188580.tif 000002
【特許請求の範囲】
【請求項１】
少なくとも光記録媒体にレーザ光を出射する発光素子と、上記光記録媒体からの反射光を検出する光検出器と、上記レーザ光を上記光記録媒体に集光する対物レンズが組み込まれた略矩形状のピックアップベースを有する光ピックアップと、
上記ピックアップベースを上記記録媒体の記録領域に亘って移動自在に支持するベースシャーシと、
上記ベースシャーシに互いに平行に配設されるとともに、上記ピックアップベースの両側面を摺動自在に支持し、上記ピックアップベースの上記光記録媒体に対する移動をガイドする第１，第２のガイド部材と、
上記ピックアップベースを上記第１，第２のガイド部材に沿って移動させるピックアップ移動機構と、
一端を上記ピックアップベースに係止され、他端を上記ベースシャーシに係止されることにより上記ピックアップベースを上記光記録媒体の内周又は外周方向へ付勢するとともに、上記一端側が上記第１、第２のガイド軸の延設方向と略直交する方向へ折り曲げられ上記ピックアップベースに係止されることにより該ピックアップベースを該折り曲げ方向に付勢する捻りコイルバネとを備える記録及び／又は再生装置。
【請求項２】
上記ピックアップベースは、一側面に上記第１のガイド部材が移動自在に挿通される挿通孔が形成され、他側面に上記第２のガイド部材が移動自在に係合する係合凹部が形成され、上記捻りコイルバネに付勢されることにより、上記第２のガイド軸が上記係合凹部の内壁に押圧されることを特徴とする請求項１記載の記録及び／又は再生装置。
【請求項３】
上記捻りコイルバネは、上記ピックアップベースをディスク状記録媒体の内周方向へ付勢していることを特徴とする請求項１記載の記録及び／又は再生装置。
【請求項４】
上記ピックアップ移動機構は、上記ピックアップベースに取り付けられたラックと、ラックを上記光記録媒体の径方向に亘って搬送する送りギヤと、該送りギヤを駆動する駆動モータとを有することを特徴とする請求項１記載の記録及び／又は再生装置。
【発明の詳細な説明】
【技術分野】
【０００１】
本発明は、光記録媒体に対して情報信号の記録又は再生を行う記録及び／又は再生装置に関し、特にシャーシに設けられたモータによって、ピックアップベースを記録媒体に対して移動させる記録及び又は再生装置に関する。
【背景技術】
【０００２】
ＣＤ（compact disc）やＤＶＤ（digital versatile disk）といった光ディスクの記録再生装置１００としては、一般に、図８に示すように、光ディスクを回転自在に保持するターンテーブル１０１と、光ディスクに対して情報信号の記録又は再生を行う光ピックアップ１０２と、光ピックアップ１０２を光ディスクの径方向に搬送するピックアップ搬送機構１０３とを有する。そして、記録再生装置１００は、シャーシ１０４に形成された開口部１０５よりターンテーブル１０１及び光ピックアップ１０２がディスク搬送領域に臨まされ、ディスク搬送機構１０３によってターンテーブル１０１へ搬送、保持された光ディスクに対して情報信号の記録又は再生を行う。
【０００３】
光ピックアップ１０２は、略矩形状のピックアップベース１０６を有し、このピックアップベース１０６内に、レーザ光を出射する発光素子と、光ディスクからの反射光を検出する光検出器と、レーザ光を光ディスクに照射するとともに光ディスクからの反射光を集光する対物レンズ１０８が組み込まれている。
【０００４】
光ピックアップ１０２を搬送するピックアップ搬送機構１０３は、光ピックアップ１０２のピックアップベース１０６の長手方向の両側面に移動自在に支持される第１、第２のガイド軸１０９，１１０と、ピックアップベース１０６に取り付けられたラック１１１と、ラック１１１を駆動する駆動ギヤ１１２と、駆動ギヤ１１２に駆動力を付与する駆動モータ１１３とを備える。
【０００５】
第１、第２のガイド軸１０９，１１０は、ピックアップベース１０６の移動をガイドするためのものであり、光ディスクの径方向に亘って互いに平行に配設されている。第１のガイド軸１０９は、ピックアップベース１０６の一側面１０６ａに形成された挿通孔１１５に移動自在に挿通、支持されている。また、第２のガイド軸１１０は、ピックアップベースの他側面１０６ｂに形成された係合凹部１１６に移動自在に係合されている。この係合凹部１１６は、断面略コ字状に形成され、開放端より第２のガイド軸１１０が挿通、係合されている。また係合凹部１１６は、第２のガイド軸１１０がスムーズに移動可能に、相対向する内壁間が第２のガイド軸１１０の径よりも若干高く形成されている。
【０００６】
ラック１１１は、ピックアップベース１０６の対物レンズ１０８が臨まされる面と反対側の裏面に取り付けられ、第１のガイド軸１０９と平行に延設された送り歯が形成されている。そしてラック１１１は、送り歯が駆動ギヤ１１２を介して駆動モータ１１３と連結されることによりピックアップベース１０６を光ディスクの径方向へ移動させる。駆動ギヤ１１２は、ラック１１１と係合する第１の歯車１１２ａと駆動モータ１１３の軸に形成されたウォーム１１３ａと係合する第２の歯車１１２ｂとを有する２段ギヤであり、駆動モータ１１３の正転あるいは逆転駆動に応じてラック１１１を一方あるいは他方に移動させる。これによりピックアップベース１０６は、第１、第２のガイド軸１０９，１１０にガイドされながら光ディスクの径方向に亘って搬送される。
【０００７】
駆動モータ１１３は、例えば直流モータが用いられ、記録再生装置１００の制御部によって送信されたステップパルスによって駆動され、ピックアップベース１０６をステップ送りする。
【０００８】
これら駆動ギヤ１１２及び駆動モータ１１３は、シャーシ１０４の裏面に回動自在に取り付けられた基板１１４上に配設されている。そして基板１１４の立壁１１４ａには、一端をシャーシ１０４の側壁に係止された捻りコイルバネ１２０の他端が当接され、駆動ギヤ１１２がラック１１１と当接する方向へ与圧が付与されている。これにより、ウォーム１１３ａと駆動ギヤ１１２の第２の歯車１１２ｂとの隙間を無くすことができ、いわゆるバックラッシを除き、駆動モータ１１３の正転あるいは逆転駆動させる際にも、駆動モータ１１３の駆動量に応じて駆動ギヤ１１２及びラック１１１を駆動させ、ピックアップベース１０６を所定量だけステップ搬送することができる。
【０００９】
ところで、かかる記録再生装置１００においては、第１、第２のガイド軸１０９，１１０と、挿通孔１１５あるいは係合凹部１１６とは、ピックアップベース１０６のスムーズな移動をガイドするために、挿通孔１１５の孔径あるいは係合凹部１１６の凹部内の高さが、第１、第２のガイド軸１０９，１１０の径よりも大きく形成されている。したがって、図９に示すように、ピックアップベース１０６は、挿通孔１１５に挿通されている第１のガイド軸１０９を中心に他側面１０６ｂ側が、第１、第２のガイド軸１０９，１１０の延設方向と略直交する方向へ、第２のガイド軸１１０と係合凹部１１６とのクリアランス分だけ回動する余地がある。
【００１０】
このため、記録再生装置１００は、光ピックアップ１０２の駆動中にピックアップベース１０６が第１、第２のガイド軸１０９，１１０の延設方向と略直交する方向へ揺動してしまい、記録再生特性に影響を与えることがある。特に、記録再生装置１００がモバイルパソコン等の携帯型情報端末に搭載された場合や、車載用のディスク記録再生装置として形成された場合には、情報信号の記録や再生中にピックアップベース１０６が揺動するおそれが多くなる。
【００１１】
なお、上述した捻りコイルバネ１２０は、ラック１１１及びピックアップベース１０６に対して側方から与圧を付与しているが、ピックアップベース１０６の揺動方向と直交する方向に付勢していること、またピックアップベース１０６のスムーズな搬送、駆動モータ１１３の駆動電力の抑制等の見地から、ピックアップベース１０６の第１、第２のガイド軸１０９，１１０の延設方向と略直交する方向への揺動を抑制するまでの付勢力は得られない。
【００１２】
【特許文献１】特開平９−２０４７４５号公報
【特許文献２】特開２００５−１９０６２７号公報
【発明の開示】
【発明が解決しようとする課題】
【００１３】
そこで、本発明は、ピックアップベースのがたつきを除去することができる記録及び／又は再生装置を提供することを目的とする。
【課題を解決するための手段】
【００１４】
上述した目的を解決するために、本発明に係る記録及び／又は再生装置は、少なくとも光記録媒体にレーザ光を出射する発光素子と、上記光記録媒体からの反射光を検出する光検出器と、上記レーザ光を上記光記録媒体に集光する対物レンズが組み込まれた略矩形状のピックアップベースを有する光ピックアップと、上記ピックアップベースを上記記録媒体の記録領域に亘って移動自在に支持するベースシャーシと、上記ベースシャーシに互いに平行に配設されるとともに、上記ピックアップベースの両側面を摺動自在に支持し、上記ピックアップベースの上記光記録媒体に対する移動をガイドする第１，第２のガイド部材と、上記ピックアップベースを上記第１，第２のガイド部材に沿って移動させるピックアップ移動機構と、一端を上記ピックアップベースに係止され、他端を上記ベースシャーシに係止されることにより上記ピックアップベースを上記光記録媒体の内周又は外周方向へ付勢するとともに、上記一端側が上記第１、第２のガイド軸の延設方向と略直交する方向へ折り曲げられ上記ピックアップベースに係止されることにより該ピックアップベースを該折り曲げ方向に付勢する捻りコイルバネとを備えるものである。
【発明の効果】
【００１５】
本発明に係る記録及び／又は再生装置によれば、１つの捻りコイルバネを用いることで、ピックアップ移動機構のバックラッシを除くとともに、ピックアップベースを第１、第２のガイド部材の延設方向と略直交する方向へ回動付勢することができるため、ピックアップベースの揺動を抑えることができ、良好な記録再生特性を維持することができる。
【発明を実施するための最良の形態】
【００１６】
以下、本発明が適用されたディスク記録再生装置について、図面を参照しながら詳細に説明する。このディスク記録再生装置１は、音楽データ、映像データ、地図データ等のデータが記録されたコンパクトディスクやデジタル・バーサタイル・ディスクといった光ディスクの記録再生装置である。このディスク記録再生装置１は、例えば、車載用のカーオーディオシステムあるいはモニタと接続されたＡＶナビゲーションを構成するコアユニットとして用いられるものであって、図１に示すように、１ＤＩＮあるいは２ＤＩＮサイズの装置本体２を備える。装置本体２は、図２に示すように、内部に金属板が折り曲げられてなる略矩形状のシャーシ４が配設されることにより、装置本体２内が上下に仕切られ、上部を光ディスク３の搬送、駆動領域とされている。
【００１７】
また装置本体２内には、図２及び図３に示すように、光ディスク３を装置本体の内外に亘って搬送するディスク搬送機構５と、装置本体２内に搬送された光ディスク３を回転自在に保持するディスク回転機構６と、光ディスク３に対して情報信号の記録又は再生を行う光ピックアップ７と、光ピックアップ７のピックアップベース４０を光ディスク３の径方向に移動させるピックアップ移動機構８とを備える。
【００１８】
またシャーシ４には、ディスク回転機構６のディスクテーブル１３及び光ピックアップ７のピックアップベース４０を光ディスク３の搬送、駆動領域上に臨ませる開口部９が形成されている。開口部９は、ディスクテーブル１３に回転可能に支持されている光ディスク３の径方向に亘って形成され、光ピックアップ７のピックアップベース４０を光ディスク３の信号記録面に内外周に亘って臨ませる。
【００１９】
この開口部９の長手方向に亘る一側縁９ａには、図３に示すように、後述するピックアップベース４０の係合凹部４３が係合される係合片１０が形成されている。係合片１０は、開口部９の一側縁９ａに沿って、シャーシ４の主面４ａから下方に折り曲げられた複数の支持片に間欠的に支持され開口部９の一側片９ａに沿って延設された係合板部１０ａを備え、この係合板部１０ａに係合凹部４３が係合される。
【００２０】
また、開口部９の長手方向に亘る他側縁９ｂには、ピックアップベース４０の挿通孔４４に挿通するガイド軸１１が配設されている。ガイド軸１１は、ピックアップベース４０の光ディスク３の径方向に亘る移動をガイドするためのものであり、開口部９の他側縁９ｂに沿って延設され、シャーシ４の主面４ａから下方に突設されている図示しない支持片によって両端を支持されている。
【００２１】
なお、シャーシ４は、主面４ａの裏面側にピックアップベース４０のラック４６を光ディスク３の内周側へ付勢する捻りコイルバネ５２の他端５２ｂが係止される係止片５４及び捻りコイルバネ５２の巻回部５２ｃが巻回されるバネ掛け部５５が形成されている。これらラック４６、捻りコイルバネ５２等については後に詳述する。
【００２２】
ディスク搬送機構５は、光ディスク３を装置本体２の内外に亘って搬送する搬送ローラ１２を有し、装置本体２の前面２ａに形成されたディスク挿脱口から光ディスク３が直接挿脱されるいわゆるスロットインタイプの搬送機構として構成される。搬送ローラ１２は、装置本体２の前面２ａ側において両側面間に亘って回転自在に支持され、詳細を省略する駆動機構により正転あるいは逆転駆動され、光ディスク３を装置本体２の内外に亘って搬送する。なお、搬送ローラ１２は、図示しない昇降機構によってディスク搬送領域を昇降可能とされている。そして光ディスク３がディスク回転機構６にチャッキングされ回転駆動される際は昇降機構によって下降され、光ディスク３から離間する。また光ディスク３の挿入又は排出時には昇降機構によって上昇され、光ディスク３と当接され、搬送可能となる。
【００２３】
搬送ローラ１２によって装置本体２内に搬送された光ディスク３を回転自在にチャッキングするディスク回転機構６は、光ディスク３が装着されるディスクテーブル１３と、ディスクテーブル１３を回転するスピンドルモータ１４と、ディスクテーブル１３とで光ディスク３を挟み込み回転自在にチャッキングするディスク押さえ板１５とを有する。
【００２４】
ディスクテーブル１３は、中心部にスピンドルモータ１４のスピンドル１６が固定される軸部１７と、この軸部１７の周囲に形成される環状の溝部１８と、この溝部１８の周囲に形成され、光ディスク３のセンタ孔３ａに係合されるセンタリング部１９と、このセンタリング部１９の周囲に形成される環状の凹部２０と、凹部２０の周囲に形成され、光ディスク３のセンタ孔３ａの周囲を支持する環状のディスク支持部２１とを備える。
【００２５】
中心部の軸部１７は、スピンドルモータ１４のスピンドル１６が圧入される筒部であり、スピンドル１６と一体化されることによって、ディスクテーブル１３がスピンドルモータ１４の駆動によって回転するようにしている。この軸部１７の周囲に連続して形成される溝部１８は、ディスクテーブル１３と、ディスク押さえ板１５との相対位置を位置決めするためのものであり、ディスク押さえ板１５側の係合ガイド部２６が係合される。また、この溝部１８には、軸部１７と略同じ高さ、又は、軸部よりやや低い高さの係合突起２２が形成されている。この係合突起２２は、後述するディスク押さえ板１５の係合ガイド部２６に形成された複数の係合溝２６ａの何れかに係合し、ディスクテーブル１３と共にディスク押さえ板１５が回転するようにする。
【００２６】
センタリング部１９は、この環状の溝部１８の外周側に連続して形成される突部である。センタリング部１９は、内周壁が溝部１８の外周壁ともなっており、垂直壁で形成されている。また、センタリング部１９の外周壁は、基端から先端側に向かって縮径するように形成されることで、光ディスク３のセンタ孔３ａに係合される際の傾斜ガイド部１９ａとなっている。
【００２７】
そして、センタリング部１９の外周には、連続して環状の凹部２０が形成され、更に、凹部２０と連続した外周側に、ディスク支持部２１が形成されている。このディスク支持部２１は、環状の突部であり、先端面で、光ディスク３のセンタ孔３ａの周囲に当接し、これを支持するように形成されている。このディスク支持部２１の先端面は、光ディスク３の高さ方向の位置を規定する装着基準面となるものであり、平面をなすように形成されている。
【００２８】
このディスクテーブル１３は、シャーシ４の裏面に取り付けられたスピンドルモータ１４のスピンドル１６に取り付けられ、スピンドル１６と一体的に回転するようになっている。このディスク回転機構６は、例えば、光ディスク３を、ＣＬＶ（Constant Linear Velocity）、ＣＡＶ（Constant Angula Velocity）、ＺＣＬＶ（Zone Constant Linear Velocity）、ＺＣＡＶ（Zone Constant Angular Velocity）等となるようなサーボ制御を行いながら回転する。
【００２９】
以上のようなディスクテーブル１３と共に光ディスク３を挟み込むディスク押さえ板１５は、図２及び図４に示すように、樹脂製の円盤からなり、中心部にはディスクテーブル１３の軸部１７が係合される係合凹部２５と、該係合凹部２５の外周壁をなすとともに基端から先端にかけて縮径するような傾斜面をなす係合ガイド部２６と、係合ガイド部２６の外周側に連続して形成され光ディスク３のセンタ孔３ａの周囲を押さえるディスク押さえ部２７とを備える。
【００３０】
係合ガイド部２６は、複数の係合溝２６ａが放射状に形成され、ディスクテーブル１３の回転時、ディスクテーブル１３の軸部１７に形成された係合突起２２が何れかに係合するようになっている。また、ディスク押さえ部２７には、ゴムシート等の高摩擦の滑り止め部材２８が設けられている。
【００３１】
かかるディスク押さえ板１５は、シャーシ４に回動可能に取り付けられた回動支持部材３０に取り付けられることにより、光ディスク３に対して離接可能とされている。この回動支持部材３０は、略中央部が幅方向に膨出された略矩形の板金からなり、膨出端にはシャーシ４に取り付けられたディスクテーブル１３に対応して押さえ板１５が取り付けられている。
【００３２】
この回動支持部材３０は、シャーシ４の背面側コーナー部に突設された一対の支持片３１，３１に回動軸３２，３２が挿通支持されることにより、シャーシ４上を回動可能とされている。また回動支持部材３０は、一端をシャーシ４に係止されたバネ部材の他端が係止されることによって、常時シャーシ４側に付勢され、ディスク押さえ板１５とディスクテーブル１３とが当接されるよう回動されている。さらに回動支持部材３０は、長手方向の一端側から突設されたガイドピン３３が詳細を省略するガイド板のカム溝によってガイドされることによりシャーシ４と近接離間される。
【００３３】
そしてディスク回転機構６は、ディスク搬送機構５によって装置本体２内に搬送された光ディスク３をディスクテーブル１３及びディスク押さえ板１５によって挟持することにより、光ディスク３を回転自在にチャッキングする。なおディスク押さえ板１５は、ディスクテーブル１３がスピンドルモータ１４によって回転駆動されることにより、光ディスク３とともに回転される。
【００３４】
ディスク回転機構６にチャッキングされた光ディスク３に対して情報信号の記録及び／又は再生を行う光ピックアップ７は、ピックアップベース４０を有し、このピックアップベース４０内に、レーザ光を出射する発光素子と、発光素子から出シャされたレーザ光を光ディスク３の信号記録面に照射するとともに光ディスク３からの反射光を集光する対物レンズ４１と、集光された反射光を検出する光検出器とを備える光学ブロックが組み込まれている。
【００３５】
また、光ピックアップ７は、対物レンズ４１を光軸方向（フォーカシング方向という。）と、光ディスク３の記録トラックと直交する方向（トラッキング方向という。）とに変位駆動する２軸アクチュエータ等の対物レンズ駆動機構を有し、上述した光検出器により検出された光ディスク３からの検出信号に基づいて、この２軸アクチュエータにより対物レンズ４１をフォーカシング方向及びトラッキング方向に変位させながら、光ディスク３の信号記録面上に対物レンズ４１の焦点を合わせるフォーカスサーボや、対物レンズ４１により集光される光ビームのスポットを記録トラックに追従させるトラッキングサーボ等の駆動制御を行うようになされている。なお、対物レンズ駆動機構としては、このようなフォーカシング制御及びトラッキング制御に加えて、対物レンズ４１により集光された光ビームを光ディスク３の信号記録面に垂直に照射させるように、光ディスク３の信号記録面に対する対物レンズ４１の傾き（スキュー）を調整可能とする３軸アクチュエータを用いてもよい。
【００３６】
かかる光ピックアップ７は、対物レンズ４１がディスクテーブル１３に装着された光ディスク３の径方向に亘ってシャーシ４に設けられた開口部９よりディスク搬送領域上に臨まされている。そして光ピックアップ７は、ディスクテーブル１３によって回転されている光ディスク３に対して発光素子から出射された光ビームを対物レンズ４１で集光して照射し、光ディスク３で反射された戻りの光ビームを光検出器で検出することによって、トラッキングサーボ、フォーカシングサーボ等の制御を行いながら光ディスク３に対してデータを書き込み、また、光ディスク３に記録されているデータの読み出しを行う。
【００３７】
ところで、ピックアップベース４０は、長手方向の一端４０ａ側に、シャーシ４の開口部９に形成された係合片１０の係合板部１０ａに係合する係合凹部４３が形成されている。係合凹部４３は、断面略コ字状に形成され、係合板部１０ａの先端に向かって形成された開放端より係合片１０が挿通、係合されている。また係合凹部４３は、ピックアップベース４０が係合片１０に支持されながらスムーズに移動可能に、係合片１０の延設方向と直交する方向の相対向する内壁間の高さが係合板部１０ａの厚みよりも若干高く形成されている。
【００３８】
また、ピックアップベース４０は、長手方向の他端４０ｂ側に、シャーシ４の開口部９に配設されたガイド軸１１が挿通される挿通孔４４が形成されている。挿通孔４４は、ピックアップベース４０がガイド軸１１にガイドされながらスムーズに移動可能にガイド軸１１の径よりも若干大きな内径を有する。
【００３９】
さらに、ピックアップベース４０は、ピックアップベース４０を光ディスク３の径方向に移動させるピックアップ移動機構８のラック４６が取り付けられている。ピックアップベース４０は、このラック４６が送りギヤ４５によって送られることにより、ガイド軸１１に沿って開口部９内をディスクテーブル１３に回転可能に支持されている光ディスク３の径方向に送り操作される。
【００４０】
光ピックアップ７を光ディスク３の径方向に送り操作するピックアップ移動機構８は、光ピックアップ７を光ディスク３の径方向に移動可能に支持する係合片１０及びガイド軸１１と、シャーシ４に配設される送りギヤ４５と、ピックアップベース４０に取り付けられ送りギヤ４５を介して駆動力をピックアップベース４０に伝達するラック４６と、送りギヤ４５と係合された駆動モータ４７とを備える。
【００４１】
係合片１０及びガイド軸１１は、上述したように、シャーシ４の開口部９の長手方向に亘る両側縁に沿って、互いに平行となるように配設され、ピックアップベース４０を移動自在に支持する。また、ラック４６は、ピックアップベース４０に取り付けられるとともに一側面に送り歯５０が形成され、送りギヤ４５を介して駆動されると、送り歯５０の形成方向に沿って移動され、これによりピックアップベース４０を搬送させるものである。ラック４６と送りギヤ４５を介して連結された駆動モータ４７は、駆動軸にウォーム４８が取り付けられている。また送りギヤ４５は、このウォーム４８と係合された小径の第１のギヤ４５ａと、ラック４６の送り歯５０と係合された大径の第２のギヤ４５ｂとが形成された２段ギヤとされている。したがって、光ピックアップ７は、駆動モータ４７が駆動されウォーム４８が回転することによって送りギヤ４５が回転されると、この送りギヤ４５を介してラック４６が直線方向に移動され、光ピックアップ７が光ディスク３の径方向に移動されることになる。
【００４２】
このラック４６は、図５に示すように、板状に形成され、長手方向に沿って一側面に送り歯５０が形成されている。またラック４６は、主面４６ａがピックアップベース４０の対物レンズ４１が臨む上面と反対側の下面に取り付けられる。この主面４６ａには、下側に向かって捻りコイルバネ５２の一端５２ａが係止されるバネ係止部５１が突設されている。バネ係止部５１は、断面略コ字状に形成され、捻りコイルバネ５２が挿入される開放端をディスクテーブル１３とは反対側、すなわち、光ディスク３の外周側に向けて形成される。
【００４３】
バネ係止部５１に係止される捻りコイルバネ５２は、ラック４６を付勢することにより、ラック４６の送り歯５０とこの送り歯５０と係合する送りギヤ４５とのバックラッシを無くすとともに、係合凹部４３を係合片１０に付勢することによりピックアップベース４０の係合片１０と略直交する方向への揺動を防止するためものである。この捻りコイルバネ５２は、一端５２ａをバネ係止部５１に係止され、他端５２ｂをシャーシ４の裏面に形成された係止片５４に係止されている。また、捻りコイルバネ５２は、巻回部５２ｃをシャーシ４の裏面に突設されたバネ掛け部５５に支持されている。
【００４４】
かかる捻りコイルバネ５２は、一端５２ａをラック４６のバネ係止部５１の開放端から係止されることにより、ラック４６を常時ディスクテーブル１３側、すなわち光ディスク３の内周側へ付勢し、ラック４６の送り歯５０に与圧を与えている。これにより、ラック４６と送りギヤ４５とのバックラッシを除くことができる。
【００４５】
また捻りコイルバネ５２は、図６に示すように、ラック４６に設けられたバネ係止部５１に係止される一端５２ａが、係合片１０及びガイド軸１１の延設方向と略直交する方向に折り曲げられている。そして捻りコイルバネ５２は、一端５２ａがラック４６のバネ係止部５１に係止され、他端５２ｂがシャーシ４の係止片５４に係止されるとともに巻回部５２ｃがバネ掛け部５５に巻回されることにより、一端５２ａが折り曲げ方向と反対方向に撓まされる。したがって、捻りコイルバネ５２は、ラック４６を一端５２ａの折り曲げ方向へ付勢することとなり、ラック４６が一体に取り付けられたピックアップベース４０に対して、ガイド軸１１が挿通されている挿通孔４４を回動支点としてピックアップベース４０の送り方向と略直交する図６中矢印Ｒ方向へ付勢力を付与することとなる。
【００４６】
これにより、ピックアップベース４０は、挿通孔４４を支点に回転力が加わり、係合凹部４３の相対向する内壁の一方が係合片１０に押し当てられる。したがって、ピックアップベース４０は、係合片１０及びガイド軸１１の延設方向と略直交する方向への揺動が抑制されるため、光ディスク３に対する記録再生特性を良好に保つことができる。
【００４７】
このように、本発明が適用されたディスク記録再生装置１によれば、１つの捻りコイルバネ５２を用いることで、送りギヤ４５とラック４６とのバックラッシを除くとともに、ピックアップベース４０を係合片１０及びガイド軸１１の延設方向と略直交する方向へ回動付勢することができるため、ピックアップベース４０の揺動を抑えることができ、良好な記録再生特性を維持することができる。
【００４８】
なお、捻りコイルバネ５２の一端５２ａは、係合片１０及びガイド軸１１と略直交する方向のうち、ピックアップベース４０の裏面側に向かって折り曲げられる。これにより捻り小入りバネ５２は、一端５２ａが折り曲げ方向と反対方向へ撓むことにより、ピックアップベース４０を当該折り曲げ方向に付勢し、挿通孔４４を支点に図６中矢印Ｒ方向へ回動付勢する。また、捻りコイルバネは、一端５２ａをピックアップベース４０の裏面と反対側に向けて折り曲げた場合は、一端５２ａが折り曲げ方向と反対方向へ撓むことにより、ピックアップベース４０を当該折り曲げ方向に付勢し、挿通孔４４を支点に図６中反矢印Ｒ方向へ回動付勢する。
【００４９】
また捻りコイルバネ５２の一端５２ａは、折り曲げの角度を変えることにより、ピックアップベース４０に付与する付勢力の大きさを調整することができる。すなわち、折り曲げ角度が大きいとそれだけピックアップベース４０への付勢力が大きくなり、より揺動を抑えることができるが、一方で捻りコイルバネ５２は常時ラック４６に対して付勢力を与えているため、ピックアップベース４０の搬送への負荷も大きくなるため適宜調整することが望ましい。
【００５０】
また捻りコイルバネ５２は、ラック４６に係止されることにより常時ラック４６を光ピックアップ３の内周側に付勢するとともに矢印Ｒ方向に回動付勢しているため、搬送時のみならず停止時においても、ピックアップベース４０の揺動を規制する。
【００５１】
以上のような構成を備えるディスク記録再生装置１は、装置本体２の前面２ａに形成されたディスク挿脱口から光ディスク３が挿入されると、ディスク搬送機構５の搬送ローラ１２が作動し、光ディスク３を装置本体２内に引き込む。そして光ディスク３は、回動支持部材３０がシャーシ４側に近接されることによりディスクテーブル１３とディスク押さえ板１５とに挟持され、中心孔３ａがセンタリング部１９に挿通されてディスクテーブル１３にチャッキングされる。このとき、ディスク押さえ板１５は、図７に示すように、係合凹部２５にディスクテーブル１３の軸部１７が係合し、更に、係合ガイド部２６が溝部１８に係合する。
【００５２】
光ディスク３に対して情報信号の記録又は再生が開始されると、光ピックアップ７が光ディスク３の内外周に亘って搬送される。具体的に、駆動モータ４７が回転駆動されると、送りギヤ４５を介してラック４６及びラック４６が一体に取り付けられたピックアップベース４０が、係合片１０及びガイド軸１１にガイドされながら光ディスク３の内周方向又は外周方向に搬送される。
【００５３】
このとき、光ピックアップ７は、捻りコイルバネ５２の一端５２ａによってラック４６が付勢されることにより、ピックアップベース４０には図６中矢印Ｒ方向への付勢力が作用するため、長手方向の一端４０ａ側に形成され係合片１０と係合する係合凹部４３の内壁が係合片１０に押し当てられる。したがって、ピックアップベース４０は、ガイド軸１１の延設方向と略直交する方向への揺動が抑制されるため、光ディスク３に対する記録再生特性を良好に保つことができる。
【００５４】
また、光ピックアップ７は、捻りコイルバネ５２の一端５２ａによって常時、ラック４６がターンテーブル１３側、すなわち光ディスク３の内周方向に付勢されているため、ラック４６の送り歯５０と送りギヤ４５とのバックラッシが除かれるため、駆動モータ４７を正転あるいは逆転駆動させる際にも、駆動モータ４７の駆動量に応じて送りギヤ４５及びラック４６を駆動させ、ピックアップベース４０を所定量だけステップ搬送することができる。
【００５５】
また、記録再生動作が終了した後も、ラック４６のバネ係止部５１に係止されている捻りコイルバネ５２によって、常時ラック４６及びピックアップベース４０には図６中矢印Ｒ方向への付勢力が作用するため、光ピックアップ７は、記録再生動作の停止中おいてもピックアップベース４０の揺動を抑えることができる。したがって光ピックアップ７は、装置本体２に振動が加わった場合にもピックアップベース４０が揺動することによる衝撃を抑えることができる。特に車載用のディスク記録再生装置１においては、光ディスク３の記録再生動作に関わらず、クルマの走行による振動が常時装置本体２に加わるため、かかる振動によるピックアップベース４０の揺動を抑えることで係合凹部４３や係合片１０、その他光学ブロック等への衝撃を回避することができる。
【００５６】
以上、車載用のディスク記録再生装置に本発明を適用した場合について説明したが、本発明は、これに限らず、例えば据え置き型のディスク記録及び／又は再生装置や、パソコンのドライブベイに組み込まれて用いられるディスク記録及び／又は再生装置に適用することもできる。また、光ディスクの搬送方法も、いわゆるスロットインタイプに限らず、ディスクトレイを用いて光ディスクを搬送するタイプに適用することもできる。
【図面の簡単な説明】
【００５７】
【図１】本発明に係る記録再生装置を車載用のディスク記録再生装置に適用した様子を示す斜視図である。
【図２】ディスク記録再生装置の内部を示す斜視図である。
【図３】ディスク記録再生装置の内部を示す平面図である。
【図４】ディスク押さえ板を示す斜視図である。
【図５】ピックアップベース及びラックを示す斜視図である。
【図６】回転力が付与されたピックアップベースを示す正面図である。
【図７】光ディスクがチャッキングされたディスク回転機構を示す断面図である。
【図８】従来のディスク記録再生装置の内部を示す平面図である。
【図９】回転力が付与された従来のピックアップベースを示す正面図である。
【符号の説明】
【００５８】
１  ディスク記録再生装置、２  装置本体、３  光ディスク、４  シャーシ、６  ディスク回転機構、７  光ピックアップ、８  ピックアップ移動機構、９  開口部、１０  係合片、１１  ガイド軸、１３  ディスクテーブル、１５  ディスク押さえ板、４０  ピックアップベース、４１  対物レンズ、４３  係合凹部、４４  挿通孔、４５  送りギヤ、４６  ラック、４７  駆動モータ、４８  ウォーム、５０  送り歯、５１  バネ係止部、５２  捻りコイルバネ、５４  係止片、５５  バネ掛け部
【図１】
2007188580.tif 000003
【図２】
2007188580.tif 000004
【図３】
2007188580.tif 000005
【図４】
2007188580.tif 000006
【図５】
2007188580.tif 000007
【図６】
2007188580.tif 000008
【図７】
2007188580.tif 000009
【図８】
2007188580.tif 000010
【図９】
2007188580.tif 000011